(57)【特許請求の範囲】
【請求項１】
一面に粘着面を、他面に非粘着面をそれぞれ有する粘着テープを収納可能な収納部と、この収納部に収納された上記粘着テープが引き出される引出し部と、この引出し部から引き出された上記粘着テープを切断する切断刃とを備えたものにあって、
上記切断刃を上記粘着テープの上記非粘着面側に配置するとともに、この切断刃を上記粘着テープの引き出しに伴って上記粘着テープの引出し方向に回動可能に設け、
上記切断刃を上記粘着テープの引出し方向とは反対方向に付勢する付勢部材と、
上記粘着テープの上記非粘着面が巻き付けられるように上記切断刃の近傍の上記収納部側に配置され、上記粘着テープの引き出しに伴って回転し、上記切断刃によって上記粘着テープが切断された際に、上記切断刃との間で、上記粘着テープの切断端部に非粘着部から成る折返し部を形成する回転ローラと、
上記切断刃によって上記粘着テープが切断された際に、上記粘着テープの切断端部を保持する保持部とを備えたことを特徴とするテープカッター装置。
【請求項２】
上記請求項１記載の発明において、
上記保持部は、上記切断刃の楔形状の刃先から成ることを特徴とするテープカッター装置。
【請求項３】
上記請求項１記載の発明において、
上記保持部は、上記切断刃の刃先の両側部に設けられ、切断された上記粘着テープが刺さることによってこの粘着テープが係止される係止部から成ることを特徴とするテープカッター装置。
【請求項４】
上記請求項１記載の発明において、
上記保持部は、上記切断刃の近傍の上記収納部側の位置に設けた静電気発生部材から成ることを特徴とするテープカッター装置。
【発明の詳細な説明】
【技術分野】
【０００１】
本発明は、切断した粘着テープの切断端部を折り返して非粘着部から成る折返し部を形成することができるテープカッター装置に関する。
【背景技術】
【０００２】
この種の従来技術として、特許文献１に示されるものがある。この従来技術は、一面に粘着面を、他面に非粘着面をそれぞれ有する粘着テープを収納可能なリール、すなわち収納部と、粘着テープの粘着面側に回動可能に配置され、上述の収納部から指で摘んで引き出された粘着テープを切断する切断刃とを備えた構成になっている。また、切断された粘着テープの切断端部を切断刃との間で折り返して、摘み部すなわち、非粘着部から成る折返し部を形成する円筒状の待機部も備えた構成になっている。
【０００３】
このように構成される従来技術にあっては、粘着テープを必要箇所に貼り付ける際には、例えば貼り付け予定領域の全長に相当する長さとなるように、粘着テープの折返し部を指先で摘んで引き出して貼り付けることが行われる。また、粘着テープが必要箇所に貼り付けられた後、剥がす際には、粘着テープの非粘着部から成る折返し部を指先で摘んで引っ張り上げることにより、その粘着テープを簡単に剥がすことができる。
【特許文献１】特許第２９５８３３１号公報
【発明の開示】
【発明が解決しようとする課題】
【０００４】
ところで、粘着テープの貼着作業の作業能率の向上のために、粘着テープを段ボール等の被貼着部材に貼り付ける際に、上述のように粘着テープを貼り付け予定領域の全長に相当する長さとなるように引き出して貼り付けるようなことをしないで、粘着テープの先端部だけを被貼着部材に貼り付け、その後引き続いて粘着テープを保持している本体側を移動させることによって、粘着テープを貼り付け予定領域に貼り付けたい場合がある。このようにして粘着テープを貼り付ける場合には、上述した従来技術の構成とは異なって、切断刃を粘着テープの粘着面とは反対側の面である非粘着面側に配置するようにしたい。しかしながら、単に切断刃を粘着テープの非粘着面側に配置しただけでは、被貼着部材から剥がすときに便利なものとなっている非粘着部から成る折返し部の形成は難しくなる。
【０００５】
本発明は、上述した従来技術における実状からなされたもので、その目的は、粘着テープの非粘着面側に切断刃を配置できるとともに、切断後に容易に粘着テープの切断端部に非粘着部から成る折返し部を形成できるテープカッター装置を提供することにある。
【課題を解決するための手段】
【０００６】
この目的を達成するために、本発明は、一面に粘着面を、他面に非粘着面をそれぞれ有する粘着テープを収納可能な収納部と、この収納部に収納された上記粘着テープが引き出される引出し部と、この引出し部から引き出された上記粘着テープを切断する切断刃とを備えたものにあって、上記切断刃を上記粘着テープの上記非粘着面側に配置するとともに、この切断刃を上記粘着テープの引き出しに伴って上記粘着テープの引出し方向に回動可能に設け、上記切断刃を上記粘着テープの引出し方向とは反対方向に付勢する付勢部材と、上記粘着テープの上記非粘着面が巻き付けられるように上記切断刃の近傍の上記収納部側に配置され、上記粘着テープの引き出しに伴って回転し、上記切断刃によって上記粘着テープが切断された際に、上記切断刃との間で、上記粘着テープの切断端部に非粘着部から成る折返し部を形成する回転ローラと、上記切断刃によって上記粘着テープが切断された際に、上記粘着テープの切断端部を保持する保持部とを備えたことを特徴としている。
【０００７】
このように構成した本発明は、粘着テープを段ボール等の被貼着部材に貼り付ける際には、まず最初に被貼着部材に粘着テープの先端部を貼り付ける。その後引き続いて収納部を含む本体側を移動させて粘着テープを引き出しながら、その引き出された粘着テープの部分を順次被貼着部材に貼り付けていく。この際、引き出し部からの粘着テープの引き出し操作に伴って閉じられた状態に保持されている切断刃が付勢部材の付勢力に抗して引き出し方向に回動し、開かれた状態となる。また、この間、粘着テープの引き出し操作に伴って粘着テープが巻き付けられた回転ローラが回転する。このようにして被貼着部材の貼り付け予定領域の全体に粘着テープが貼り付けられる。その後この粘着テープが、その非粘着面側に配置された切断刃で切断される。この切断刃で切断された際に、回転ローラの慣性によって、粘着テープの切断端部を、粘着面が内側となるように撓ませることができる。この動作に続いて切断刃が付勢部材の付勢力によってテープの引き出し方向とは反対方向に、すなわち閉じる方向に回動する。この切断刃の回動によって、上述のように撓められた粘着テープの切断端部が、切断刃と回転ローラとの間で折り返されて非粘着部から成る折返し部が形成される。このように本発明は、粘着テープの非粘着面側に切断刃を配置できるとともに、切断後に付勢部材の付勢力を介して容易に粘着テープの切断端部に非粘着部から成る折返し部を形成できる。また、粘着テープが切断された際に、保持部によって切断端部が確実に保持されるので、一定した形状寸法の折返し部を形成することができる。
【０００８】
また、本発明は、上記発明において、上記保持部は、上記切断刃の楔形状の刃先から成ることを特徴としている。このように構成した本発明は、切断刃の製作時に楔形状の刃先、すなわち保持部を形成できるので、この保持部を簡単に形成できるとともに、楔形状の刃先に粘着テープの切断端部が接着されることにより、この切断端部を確実に折り返すことができる。
【０００９】
また、本発明は、上記発明において、上記保持部は、上記切断刃の刃先の両側部に設けられ、切断された上記粘着テープが刺さることによってこの粘着テープが係止される係止部から成ることを特徴としている。このように構成した本発明は、係止部は粘着テープに刺さる単純な形状とすることができるので、この係止部すなわち保持部を簡単に形成することができるとともに、粘着テープの切断端部が係止部に刺さることにより、この切断端部を確実に折り返すことができる。
【００１０】
また、本発明は、上記発明において、上記保持部は、上記切断刃の近傍の上記収納部側の位置に設けた静電気発生部材から成ることを特徴としている。このように構成した本発明は、静電気発生部材を合成樹脂の板体等の形状が単純な部材によって形成できるので、静電気発生部材すなわち保持部を簡単に形成できるとともに、粘着テープの切断端部が静電気発生部材の静電気によってこの静電気発生部材に貼り付き、これによって切断端部を確実に折り返すことができる。
【発明の効果】
【００１１】
本発明は、粘着テープの非粘着面側に切断刃を配置できるとともに、切断後に容易に粘着テープの切断端部を折り返して非粘着部から成る折返し部を形成でき、これにより、被貼着部材に接着された粘着テープを剥がす際に、折返し部を把持して容易に粘着テープを剥がすことができ、また、粘着テープの本体側を移動させて行う粘着テープの貼着作業が可能となり、この粘着テープの貼着作業の作業能率を向上させることができる。さらに、粘着テープが切断された際に、保持部の保持力によって切断端部が確実に折り返され、一定した形状寸法の折返し部を形成することができ、したがって、被貼着部材に粘着テープを貼り付けた際の美観を確保することができる。
【発明を実施するための最良の形態】
【００１２】
以下，本発明に係るテープカッター装置を実施するための最良の形態を図に基づいて説明する。
【００１３】
［本実施形態の構成］
図１は本発明に係るテープカッター装置の一実施形態を示す図で、切断刃が閉じられた状態を示す側面図である。図２は図１のＡ方向から見た図、図３は図２に示す状態から切断刃が開かれた状態を示す図である。図４は図１のＢ方向から見た図、図５は図４に示す状態から切断刃が開かれた状態を示す図である。図６は図１のＣ方向から見た図、図７は図６に示す状態から切断刃が開かれた状態を示す図である。図８は本実施形態に備えられる切断刃を示す図で、（ａ）図は要部正面図、（ｂ）図は側面図である。
【００１４】
本実施形態に係るテープカッター装置は、図１に示すように、本体１と、この本体１に含まれ、一面に粘着面２ａを、他面に非粘着面２ｂをそれぞれ有する粘着テープ２を収納可能な収納部３と、この収納部３に収納された粘着テープ２が引き出される引出し部４とを備えている。この引出し部４には引き出された粘着テープ２の粘着面２ａが接触して回転するローラ部材５が含まれている。本体１には、収納部３に収納された粘着テープ２の外周面に対向するように配置される把手６が取り付けられている。
【００１５】
また、本体１には第１枠体７を図２に示すねじ８によって固定してある。第１枠体７に取り付けた軸９には、第２枠体１０を回動可能に装着させてある。この第２枠体１０の上方部分には、この第２枠体１０の回動に伴って第１枠体７に係合するストッパ部１０ａ、すなわち第２枠体１０の回動量を規制するストッパ部１０ａと、指先での第２枠体１０の回動を許容させる指掛け部１０ｂとを形成してある。この第２枠体１０の下方部分には、左右一対の突出部１２を形成してある。
【００１６】
図２に示すように、第２枠体１０には、粘着テープ２を切断する切断刃１１をボルト１６によって固定してある。すなわち、この切断刃１１は粘着テープ２の引き出しに伴って粘着テープ２の引き出し方向に第２枠体１０と一体的に回動する。したがって、上述した第２枠体１０に形成したストッパ部１０ａは、切断刃１１の回動量を規制するものである。なお、図１に示す状態は、上述の切断刃１１が閉じられた状態を示している。
【００１７】
上述した第２枠体１０の突出部１２は、切断刃１１を挟むようにこの切断刃１１の両側に配置され、切断刃１１の刃先１１ａよりも突出するように設けてある。
【００１８】
また、図８の（ａ）図に示すように、切断刃１１の刃先１１ａは、例えば楔形状に形成してあり、この楔形状に形成された切断刃１１の刃先１１ａによって、粘着テープ２が切断された際に粘着テープ２の切断端部が接着保持される保持部が構成されている。
【００１９】
図５に示すように、第２枠体１０と一体に設けられる切断刃１１を粘着テープ２の引き出し方向とは反対方向に付勢する付勢部材、例えばトーションばね１７を軸９に装着させてある。
【００２０】
また本実施形態は、図１に示すように、粘着テープ２の非粘着面２ｂが巻き付けられるように切断刃１１の近傍の収納部３側に配置され、粘着テープ２の引き出しに伴って回転し、切断刃１１によって粘着テープ２が切断された際に切断刃１１との間で、粘着テープ２の切断端部に非粘着部から成る後述の折返し部２ｄを形成する回転ローラ１８を備えている。この回転ローラ１８は、例えば粘性を有するゴム部材から成り、本体１に取り付けられている。
【００２１】
また、図５，７及び図８の（ｂ）図に示すように、切断刃１１の収納部３側に位置する内側部分に設けられ、収納部３から引き出された粘着テープ２の非粘着面２ｂとの接触により、切断刃１１を、トーションばね１７の付勢力に抗して粘着テープ２の引き出し方向に回動させるガイド部材、例えば板ばね１３を備えている。この板ばね１３は上方部分に、粘着テープ２の後述の折返し部２ｄが当接する折り返し位置決め部１３ａを備えている。
【００２２】
図８の（ｂ）図に示すように、切断刃１１と板ばね１３との間には、弾性を有するスペーサ１５を配置してある。また、図５，７及び図８の（ｂ）図に示すように、切断刃１１の近傍の収納部３側の位置、例えば板ばね１３の内側部分には、静電気発生部材を形成する合成樹脂板１４を配置してある。この合成樹脂板１４も、上述した切断刃１１の楔形状の刃先１１ａと同様に、切断刃１１によって粘着テープ２が切断された際に、粘着テープ２の切断端部を静電気を介して接着保持する保持部を構成している。
【００２３】
すなわち、図８の（ｂ）図に示す切断刃１１と、スペーサ１５と、板ばね１３と、合成樹脂板１４とが、図２，３等に示すボルト１６によって第２枠体１０に固定され、一体的に設けられている。
【００２４】
上述した第２枠体１０の指掛け部１０ｂは、上述のように第２枠体１０の回動を許容させるもの、すなわち指先による押圧動作によって第２枠体１０と一体の切断刃１１をトーションばね１７の付勢力に抗して粘着テープ２の引き出し方向に回動させるものであり、例えば切断刃１１の両側部に対応させて一対備えている。
【００２５】
［粘着テープの貼着作業］
図１０〜２０は、粘着テープの貼着作業を示す図で、図１０は粘着テープの貼着作業が実施される直前の状態を示す側面図である。図１１は粘着テープの貼着作業開始時の状態を示す側面図、図１２は図１１の状態にほぼ相応する要部拡大図である。図１３は粘着テープの貼着作業の途中の状態を示す側面図、図１４は図１３の状態にほぼ相応する要部拡大図である。図１５は粘着テープ切断時の状態を示す側面図、図１６は図１５の状態にほぼ相応する要部拡大図である。図１７は粘着テープ切断直後の状態を示す側面図、図１８は図１７の状態にほぼ相応する要部拡大図である。図１９は粘着テープの切断端部の折返し部形成時の状態を示す側面図、図２０は図１９の状態にほぼ相当する要部拡大図である。
【００２６】
粘着テープ２を非貼着部材、例えば段ボール２０に貼り付けるに際しては、図１０に示すように、例えば把手６に手のひらを当接し、収納部３に収納された粘着テープ２を挟持した状態で、回転ローラ１８に巻き付けられている粘着テープ２の先端部の粘着面２ａを段ボールに近づけ、図１１，１２に示すように、粘着テープ２の先端部を回転ローラ１８で押圧するようにして段ボール２０に貼り付ける。そして、この状態から本体１側を貼り付け予定領域に沿って移動させ始める。これにより、図１１の矢印２１で示すように、それまで閉じられていた状態に保持されていた第２枠体１０が、切断刃１１及び板ばね１３と一体にトーションばね１７の付勢力に抗して粘着テープ２の引き出し方向に回動し、切断刃１１は開かれた状態となる。このとき、段ボール２０には、最初に突出部１２が接触し、次に板ばね１３が接触する。
【００２７】
引き続いて本体１を貼り付け予定領域に沿って移動させると、図１３，１４に示すように、板ばね１３が粘着テープ２の非粘着面２ｂとの接触により撓み、この撓みによる板ばね１３の弾性力と回転ローラ１８を介しての押圧力とが粘着テープ２に与えられて、この粘着テープ２は貼り付け予定領域に強固に貼り付けられていく。また、このようにして粘着テープ２が引き出される間、ローラ部材５は粘着テープ２の粘着面２ａに接触しながら回転し、回転ローラ１８は粘着テープ２の非粘着面２ｂに接触しながら回転する。
【００２８】
粘着テープ２が貼り付け予定領域の全体にわたって貼り付けられ、切断位置に至ると、図１５，１６に示すように、粘着テープ２の非粘着面２ｂ側に配置された切断刃１１によって、この粘着テープ２が切断される。このとき、粘着テープ２の引き出しに伴って回転していた回転ローラ１８の慣性によって、切断直後も回転ローラ１８はわずかながら図１８の矢印２２で示すように引出し方向に回転する。この回転ローラ１８の慣性による回転によって、粘着テープ２の切断端部は、図１７，１８に示すように、粘着面２ａが内側となるように凹状に撓められ、粘着テープ２に撓み部２ｃが形成される。このとき、粘着テープ２の切断端部は、切断刃１１の刃先１１ａに接着されることによってこの刃先１１ａに保持される。
【００２９】
この動作に続いて、図１９，２０の矢印２３で示すように、第２枠体１０が切断刃１１及び板ばね１３と一体的に、トーションばね１７の付勢力によって粘着テープ２の引き出し方向とは反対方向に、すなわち切断刃１１が閉じる方向に回動する。これらの切断刃１１及び板ばね１３の回動によって、粘着テープ２の撓み部２ｃが合成樹脂板１４によって発生する静電気によってこの合成樹脂板１４に接着保持されながら、切断刃１１及び板ばね１３と、回転ローラ１８との間で、板ばね１３の折返し位置決め部１３ａに当接しながら折り返されて非粘着部から成る折返し部２ｄが形成される。
【００３０】
図２１も粘着テープ貼着動作を示す図で、切断刃１１の別の開き方を説明する側面図である。上述のように本体１の移動に伴って切断刃１１を開かせる代わりに、図２１に示すように、指先を第２枠体１０の一対の指掛け部１０ｂのいずれかに掛けて第２枠体１０を回動させ、これによって切断刃１１を開くようにしてもよい。
【００３１】
［本実施形態の効果］
以上のように構成した本実施形態によれば、上述のように粘着テープ２の非粘着面２ｂに切断刃１１を配置できるとともに、切断後にトーションばね１７の付勢力を介して容易に粘着テープ２の切断端部に非粘着部から成る折返し部２ｄを形成できる。これにより、被貼着部材である段ボール２０に貼り付けられた粘着テープ２を剥がす際に、折返し部２ｄを把持して容易に粘着テープ２を剥がすことができ、また粘着テープ２の本体１側を移動させて行う粘着テープ２の貼着作業が可能になり、この粘着テープ２の貼着作業の作業能率を向上させることができる。
【００３２】
また、切断刃１１の裏側にガイド部材、すなわち板ばね１３を備えたことから、粘着テープ２の引き出し時に粘着テープ２に切断刃１１を接触させないようにすることができる。これにより、引き出された粘着テープ２を切断刃１１で傷つけることなく、切断刃１１を円滑に開かせることができ、貼着作業に対する信頼性を確保できる。
【００３３】
また、粘着テープ２の切断端部に折返し部２ｄを形成する際に当接する折返し位置決め部１３ａを備えたことから、この折返し位置決め部１３ａに切断された粘着テープ２の撓み部２ｃが当接することによって、粘着テープ２の折返しを良好に行わせることができ、また粘着テープ２の切断ごとに同じ長さの非粘着部から成る折返し部２ｄを形成でき、精度の高い折返し部２ｄの作製機能を確保できる。
【００３４】
また、第２枠体１０に切断刃１１が開く際の回動量を規制するストッパ部１０ａを形成してあることから、ストッパ部１０ａが第１枠体７に係止されて切断刃１１が最大に開かれた状態で実施される粘着テープ２の切断時における切断刃１１の刃先１１ａと、回転ローラ１８との距離を一定に保持することができ、これによって常に同じ長さの非粘着部から成る折返し部２ｄを形成でき、精度の高い折返し部２ｄの作製機能の確保に貢献する。
【００３５】
また、切断刃１１の刃先１１ａの両側部に、刃先１１よりも突出する突出部１２を備えたことから、粘着テープ２の引出し時に、突出部２を段ボール２０に当接させた状態で切断刃１１を開かせることができ、段ボール２０を傷つけることがない。また、持ち運ぶ際等に刃先１０ａが他の物に接触してしまうことを防止できる。これらにより優れた安全性を確保できる。
【００３６】
また、回転ローラ１８が粘性を有するゴム部材から成ることから、粘着テープ２の切断時にあっても粘着テープ２の切断端部が粘性を介して回転ローラ２に接着保持される。これにより、この粘着テープ２の切断端部は上述のように粘着面２ａ側が内側になるように凹状に撓みやすくなり、より確実に粘着テープ２の切断端部を折り返すことができ、精度の高い折返し部２ｄの作製機能の確保に貢献する。
【００３７】
また、切断刃１１によって粘着テープ２が切断された際に、粘着テープ２の切断端部を保持する保持部、すなわち、楔形状に形成された切断刃１１の刃先１１ａ、及び静電気発生部材である合成樹脂板１４を備えたことから、粘着テープ２が切断された際に、これらの保持部の保持力を介して切断端部が確実に折り返され、一定した形状寸法の折返し部を形成することができる。これにより、被貼着部材である段ボール２０に粘着テープ２を貼り付けた際の美観を確保することができる。
【００３８】
また、粘着テープ２の切断時に、切断端部を保持する保持部として、切断刃１１の楔形状から成る刃先１１ａ、及び静電気発生部材である合成樹脂板１４を設けた構成にしてあるが、切断刃１１の楔形状の刃先１１ａは切断刃１１の製作時に形成でき、また、合成樹脂板１４は形状が単純なものであり、したがってこれらの切断刃１１の刃先１１ａ、及び合成樹脂板１４から成る保持部を簡単に形成することができる。
【００３９】
また、指先による押圧動作によって切断刃１１をトーションばね１７の付勢力に抗して粘着テープ２の引き出し方向に回動させる指掛け部１０ｂを備えた構成にしてあることから、収納部に収納された粘着テープ２を把持した状態で指先を指掛け部１０ｂに掛けて押圧することにより、切断刃１１を開かせ粘着テープ２の貼着作業を容易に行うことができ、使い勝手がよい。また特に、この指先部１０ｂを切断刃１１の両側部に対応させて一対備えた構成にしてあることから、右利きの人、左利きの人のいずれの人にも使いやすいように対応でき、一層使い勝手をよくすることができる。
【００４０】
［別の実施形態］
図９は本実施形態に装着可能な他の切断刃を示す図である。この図９に示すように、本実施形態に備えられる切断刃を、切断刃１１の他に別の切断刃２５を備えた２枚刃とし、別の切断刃２５の刃先２５ａによっても粘着テープ２の切断が可能となるように構成してもよい。この場合、例えば板ばね１３と別の切断刃２５との間には、スペーサ１５と同等の弾性を有するスペーサ１５ａを配置し、別の切断刃２５の内側部分、すなわち収納部３側に位置する部分に、静電気発生部材を形成する合成樹脂板２６を配置し、これらの切断刃１１、スペーサ１５、板ばね１３、スペーサ１５ａ、別の切断刃２５、及び合成樹脂板２６を、図２に示したボルト１６によって第２枠体１０に固定し、一体的に設けた構成にしてもよい。
【００４１】
このように構成したものでは、切断刃１１による切断と、別の切断刃２５による切断の双方が可能となるので、粘着テープ２に対する切断機能を向上させることができる。
【００４２】
また、上記実施形態では、回転ローラ１８を、粘性を有するゴム体から成る構成にしてあるが、この回転ローラ１８を例えば静電気発生機能を有するもの、すなわち、静電気発生部材を形成する合成樹脂から成る構成にしてもよい。また、この回転ローラ１８を、粘性を有するゴム体から成る構成にするものの、例えば一部の外周面に静電気発生部材である合成樹脂製のシート等を貼り付けた構成にしてもよい。
【００４３】
これらのように回転ローラ１８の外周面に静電気発生部材を備えた構成にしたものでは、粘着テープ２の切断端部に折返し部２ｄを形成する際に、静電気発生部材から発生する静電気によって粘着テープ２の撓み部２ｃを回転ローラ１８に接着保持させることができる。これにより、精度の高い折返し部２ｄの作製機能の確保に貢献する。
【００４４】
また、上記実施形態では、粘着テープ２の切断時に、その切断端部を保持する保持部として、切断刃１１の楔形状の刃先１１ａ、及び板ばね１３の裏側に配置される合成樹脂板１４を備えた構成にしてあるが、これらの構成に代えて、あるいはこれらの構成に加えて、切断刃１１の刃先１１ａの両側部に設けられ、切断された粘着テープ２が刺さることによってこの粘着テープ２が係止される係止部を備えた構成にしてもよい。
【００４５】
このように構成されたものでは、係止部は粘着テープ２に刺さる単純な形状とすることができる。また、粘着テープ２の切断端部が係止部に刺さることにより、この切断端部を確実に折り返すことができ、精度の高い折返し部２ｄの作製機能の確保に貢献する。
【図面の簡単な説明】
【００４６】
【図１】本発明に係るテープカッター装置の一実施形態を示す図で、切断刃が閉じられた状態を示す側面図である。
【図２】図１のＡ方向から見た図である。
【図３】図２に示す状態から切断刃が開かれた状態を示す図である。
【図４】図１のＢ方向から見た図である。
【図５】図４に示す状態から切断刃が開かれた状態を示す図である。
【図６】図１のＣ方向から見た図である。
【図７】図６に示す状態から切断刃が開かれた状態を示す図である。
【図８】本実施形態に備えられる切断刃を示す図で、（ａ）図は要部正面図、（ｂ）図は側面図である。
【図９】本実施形態に装着可能な他の切断刃を示す図である。
【図１０】粘着テープ貼着動作を示す図で、粘着テープの貼着作業が実施される直前の状態を示す側面図である。
【図１１】粘着テープ貼着動作を示す図で、粘着テープの貼着作業開始時の状態を示す側面図である。
【図１２】図１１の状態にほぼ相応する要部拡大図である。
【図１３】粘着テープ貼着動作を示す図で、粘着テープの貼着作業の途中の状態を示す側面図である。
【図１４】図１３の状態にほぼ相応する要部拡大図である。
【図１５】粘着テープ貼着動作を示す図で、粘着テープ切断時の状態を示す側面図である。
【図１６】図１５の状態にほぼ相応する要部拡大図である。
【図１７】粘着テープ貼着動作を示す図で、粘着テープ切断直後の状態を示す側面図である。
【図１８】図１７の状態にほぼ相応する要部拡大図である。
【図１９】粘着テープ貼着動作を示す図で、粘着テープの切断端部の折返し部形成時の状態を示す側面図である。
【図２０】図１９の状態にほぼ相当する要部拡大図である。
【図２１】粘着テープ貼着動作を示す図で、切断刃の別の開き方を説明する側面図である。
【符号の説明】
【００４７】
１    本体
２    粘着テープ
２ａ  粘着面
２ｂ  非粘着面
２ｃ  撓み部
２ｄ  折返し部
３    収納部
４    引き出し部
７    第１枠体
１０    第２枠体
１０ａ  ストッパ部
１０ｂ  指掛け部
１１    切断刃
１１ａ  刃先（保持部）
１２    突出部
１３    板ばね（ガイド部材）
１３ａ  折返し位置決め部
１４    合成樹脂板（静電気発生部材）
１５    スペーサ
１５ａ  スペーサ
１７    トーションばね（付勢部材）
１８    回転ローラ
２０    段ボール（被貼着部材）
２５    別の切断刃
２５ａ  刃先（保持部材）
２６    合成樹脂板（静電気発生部材）
【図１】
0004423256.tif 000002
【図２】
0004423256.tif 000003
【図３】
0004423256.tif 000004
【図４】
0004423256.tif 000005
【図５】
0004423256.tif 000006
【図６】
0004423256.tif 000007
【図７】
0004423256.tif 000008
【図８】
0004423256.tif 000009
【図９】
0004423256.tif 000010
【図１０】
0004423256.tif 000011
【図１１】
0004423256.tif 000012
【図１２】
0004423256.tif 000013
【図１３】
0004423256.tif 000014
【図１４】
0004423256.tif 000015
【図１５】
0004423256.tif 000016
【図１６】
0004423256.tif 000017
【図１７】
0004423256.tif 000018
【図１８】
0004423256.tif 000019
【図１９】
0004423256.tif 000020
【図２０】
0004423256.tif 000021
【図２１】
0004423256.tif 000022